(57)【特許請求の範囲】
【請求項１】
第一の粒状物を収容可能な第一の収容手段と、第二の粒状物を収容可能な第二の収容手段と、混合手段と、散布手段とを有し、
第一の収容手段および第二の収容手段に対して第一および第二の粒状物の流れ方向下流側に混合手段が設けられており、当該混合手段に第一の粒状物および第二の粒状物を供給して混合可能であり、
前記混合手段に対して第一の粒状物および第二の粒状物の流れ方向下流側に散布手段が設けられており、混合手段において混合された第一の粒状物および第二の粒状物を散布手段に供給して散布可能であり、
第一の収容手段に設けられた第一の払出口、並びに、第二の収容手段に設けられた第二の払出口を閉塞可能な位置に供給状態調整手段が設けられており、
第一の払出口の開口面積は、第二の払出口の開口面積よりも大きく、
第一の払出口および第二の払出口の開口面積の比率は、第一の粒状物と第二の粒状物との混合比に応じて調整されるものであり、
供給状態調整手段は、前記第一の払出口および第二の払出口を閉塞可能な閉塞部材を有し、
当該閉塞部材は、第一の連通口および第二の連通口を有し、所定の回転軸を中心として回動可能なものであり、
前記閉塞部材を回動させることにより、第一の払出口と第一の連通口とが連通した第一の状態と、第二の払出口と第二の連通口とが連通した第二の状態とが交互に入れ替わって調整可能であることを特徴とする農業用散布装置。
【請求項２】
混合手段は、第一の収容手段および第二の収容手段から供給される第一の粒状物および第二の粒状物を収容可能な収容部と、収容部内で回動する混合部材とを有することを特徴とする請求項１に記載の農業用散布装置。
【請求項３】
散布手段は、回転部を有し、当該回転部を回転させることにより混合手段から供給された第一の粒状物および第二の粒状物を散布可能であることを特徴とする請求項１又は２に記載の農業用散布装置。
【請求項４】
混合手段は、混合側回転軸と混合部材とを有し、当該混合部材が前記混合側回転軸と一体的に回動するものであり、
散布手段は、回転部と散布側回転軸を有し、回転部が散布側回転軸と一体的に回動して混合手段から供給された第一の粒状物および第二の粒状物を散布可能なものであり、
混合側回転軸と散布側回転軸が単一の軸体によって構成されている、あるいは、混合側回転軸と散布側回転軸が一体化されていることを特徴とする請求項２に記載の農業用散布装置。
【請求項５】
混合手段は、混合側回転軸を有し、混合部材が前記混合側回転軸と一体的に回動するものであり、
散布手段は、散布側回転軸を有し、回転部が散布側回転軸と一体的に回動するものであり、
前記混合側回転軸が、散布側回転軸に対して交差、あるいは、ねじれの位置関係となるように配置されていることを特徴とする請求項２に記載の農業用散布装置。
【請求項６】
混合手段が、第一および第二の粒状物の収容手段から散布手段に至る経路に配された邪魔部材を備えていることを特徴とする請求項１〜５のいずれかに記載の農業用散布装置。
【請求項７】
混合手段に供給する第一の粒状物と、第二の粒状物とを混合手段に対して間歇的に供給可能な供給状態調整手段を備えていることを特徴とする請求項１〜６のいずれかに記載の農業用散布装置。
【請求項８】
混合手段に供給する第一の収容手段に収容されている第一の粒状物と、第二の収容手段に収容されている第二の粒状物とを交互に混合手段に供給可能であることを特徴とする請求項１〜７のいずれかに記載の農業用散布装置。
【請求項９】
第一の連通口および第二の連通口が、閉塞部材の回転方向に互いにずれた位置に設けられていることを特徴とする請求項１〜８のいずれかに記載の農業用散布装置。
【請求項１０】
第一の粒状物と第二の粒状物との混合比に応じて第一の払出口及び／又は第二の払出口の開口面積を調整可能であることを特徴とする請求項１〜９のいずれかに記載の農業用散布装置。
【請求項１１】
第一の粒状物は、肥料であり、
第二の粒状物は、農薬であることを特徴とする請求項１〜１０のいずれかに記載の農業用散布装置。
【発明の詳細な説明】
【技術分野】
【０００１】
本発明は、農薬や肥料などを散布するための農業用散布装置であり、特に２種類の粒状物を混合状態で散布可能なものに関する。
【背景技術】
【０００２】
従来より、下記特許文献１に開示されているような農業用散布装置が提供されている。下記特許文献１に開示されている農業用散布装置は、肥料ホッパーに貯留されている肥料を散布板と称される部材に対して適宜払い出し、散布板を回転させて散布する構成とされている。
【特許文献１】特開平１０−１３６７３６号公報
【発明の開示】
【発明が解決しようとする課題】
【０００３】
上記特許文献１に開示されているような農業用散布装置は、肥料等の粒状物を散布可能である。肥料と農薬とを同時に散布する場合には、予め肥料と農薬とを混合した混合物を用いて該農業用散布装置により散布することも可能であるが、少量の農薬を大量の肥料に対して予め均一に混合しておくことが必要であり、そのための混合装置が必要となる。また、肥料と農薬との混合物において、運搬時の振動等により偏析が生じることが懸念される。
【０００４】
そこで、かかる知見に基づき、本発明は、別々に用意された第一の粒状物と第二の粒状物とを散布する直前に混合することが可能な農業用散布装置の提供を目的とする。
【課題を解決するための手段】
【０００５】
上記した課題を解決すべく提供される請求項１に記載の発明は、第一の粒状物を収容可能な第一の収容手段と、第二の粒状物を収容可能な第二の収容手段と、混合手段と、散布手段とを有し、第一の収容手段および第二の収容手段に対して第一および第二の粒状物の流れ方向下流側に混合手段が設けられており、当該混合手段に第一の粒状物および第二の粒状物を供給して混合可能であり、前記混合手段に対して第一の粒状物および第二の粒状物の流れ方向下流側に散布手段が設けられており、混合手段において混合された第一の粒状物および第二の粒状物を散布手段に供給して散布可能であり、第一の収容手段に設けられた第一の払出口、並びに、第二の収容手段に設けられた第二の払出口を閉塞可能な位置に供給状態調整手段が設けられており、第一の払出口の開口面積は、第二の払出口の開口面積よりも大きく、第一の払出口および第二の払出口の開口面積の比率は、第一の粒状物と第二の粒状物との混合比に応じて調整されるものであり、供給状態調整手段は、前記第一の払出口および第二の払出口を閉塞可能な閉塞部材を有し、当該閉塞部材は、第一の連通口および第二の連通口を有し、所定の回転軸を中心として回動可能なものであり、前記閉塞部材を回動させることにより、第一の払出口と第一の連通口とが連通した第一の状態と、第二の払出口と第二の連通口とが連通した第二の状態とが交互に入れ替わって調整可能であることを特徴とする農業用散布装置である。
【０００６】
本発明の農業用散布装置によれば、第一の収容手段および第二の収容手段に別々に収容されている第一の粒状物および第二の粒状物を混合手段において混合し、これを散布手段に供給して散布することができる。そのため、本発明の農業用散布装置によれば、第一の粒状物および第二の粒状物の散布を一度に実施でき、散布作業に要する手間や時間を最小限に抑制できる。
【０００７】
本発明の農業用散布装置によれば、閉塞部材を回動させて上記した第一の状態および第二の状態とすることにより、第一の収容手段や第二の収容手段から第一の粒状物や第二の粒状物を適宜払い出し、これらを混合することができる。
【０００８】
なお、本願において、「粒状物」は、いかなる粒径のものであってもよい。さらに具体的には、「粒状物」とは、いわゆる「粒状」のものに加えて、これよりも粒径の細かな「粉状」のものや「微粉状」のもの等を総称するものである。
【０００９】
請求項２に記載の発明は、混合手段が、第一の収容手段および第二の収容手段から供給される第一の粒状物および第二の粒状物を収容可能な収容部と、収容部内で回動する混合部材とを有することを特徴とする請求項１に記載の農業用散布装置である。
【００１０】
かかる構成によれば、混合手段の収容部に供給された第一の粒状物と第二の粒状物とを混合部材で十分攪拌した状態でこれらの混合物を回転部に供給し、略均一に散布することができる。
【００１１】
また、請求項３に記載の発明は、散布手段が、回転部を有し、当該回転部を回転させることにより混合手段から供給された第一の粒状物および第二の粒状物を散布可能であることを特徴とする請求項１又は２に記載の農業用散布装置である。
【００１２】
かかる構成によれば、混合部から供給された第一の粒状物や第二の粒状物を略均一に散布することができる。
【００１３】
請求項４に記載の発明は、混合手段が、混合側回転軸と混合部材とを有し、当該混合部材が前記混合側回転軸と一体的に回動するものであり、散布手段が、回転部と散布側回転軸を有し、回転部が散布側回転軸と一体的に回動して混合手段から供給された第一の粒状物および第二の粒状物を散布可能なものであり、混合側回転軸と散布側回転軸が単一の軸体によって構成されている、あるいは、混合側回転軸と散布側回転軸が一体化されていることを特徴とする請求項２に記載の農業用散布装置である。
【００１４】
本発明の農業用散布装置では、混合側回転軸と散布側回転軸とが連結されていたり、混合側回転軸と散布側回転軸として単一の回転軸を共用した構成とされている。そのため、本発明の農業用散布装置では、混合手段の混合部材と散布手段の回転部とを単一の動力源で作動させることができる。従って、本発明によれば、農業用散布装置の装置構成を単純化することができる。
【００１５】
請求項５に記載の発明は、混合手段が、混合側回転軸を有し、混合部材が前記混合側回転軸と一体的に回動するものであり、散布手段が、散布側回転軸を有し、回転部が散布側回転軸と一体的に回動するものであり、前記混合側回転軸が、散布側回転軸に対して交差、あるいは、ねじれの位置関係となるように配置されていることを特徴とする請求項２に記載の農業用散布装置である。
【００１６】
本発明の農業用散布装置では、混合側回転軸が散布側回転軸に対して交差、あるいは、ねじれの位置関係となるように配置されているため、第一の収容手段や第二の収容手段と散布手段との間隔を最小限に抑制しつつ、混合領域を大きくとることができる。そのため、本発明によれば、装置構成がコンパクトであり、第一の粒状物と第二の粒状物とを十分混合して散布可能な農業用散布装置を提供できる。
【００１７】
請求項６に記載の発明は、混合手段が、第一および第二の粒状物の収容手段から散布手段に至る経路に配された邪魔部材を備えていることを特徴とする請求項１〜５のいずれかに記載の農業用散布装置である。
【００１８】
かかる構成によれば、邪魔部材が配置された経路を第一および第二の粒状物が通過することによりこれらの攪拌を促進させることができる。従って、本発明によれば、第一および第二の粒状物を十分混合した状態で散布可能な農業用散布装置を提供できる。
【００１９】
請求項７に記載の発明は、混合手段に供給する第一の粒状物と、第二の粒状物とを混合手段に対して間歇的に供給可能な供給状態調整手段を備えていることを特徴とする請求項１〜６のいずれかに記載の農業用散布装置である。
【００２０】
かかる構成によれば、混合手段に対して第一の粒状物や第二の粒状物が一度に大量に払い出されるのを防止し、混合手段に第一の粒状物や第二の粒状物が詰まったり、いわゆるブリッジングを起こすといったような不具合の発生を抑制できる。
【００２１】
請求項８に記載の発明は、混合手段に供給する第一の収容手段に収容されている第一の粒状物と、第二の収容手段に収容されている第二の粒状物とを交互に混合手段に供給可能であることを特徴とする請求項１〜７のいずれかに記載の農業用散布装置である。
【００２２】
本発明の農業用散布装置では、第一の粒状物と第二の粒状物とが交互に混合手段に供給されるため、混合手段に一度に大量の第一の粒状物や第二の粒状物が払い出されるのを防止することができる。そのため、本発明の農業用散布装置によれば、混合手段内に第一の粒状物や第二の粒状物が詰まったり、いわゆるブリッジングと称される不具合の発生を抑制できる。
【００２３】
請求項９に記載の発明は、第一の連通口および第二の連通口が、閉塞部材の回転方向に互いにずれた位置に設けられていることを特徴とする請求項１〜８のいずれかに記載の農業用散布装置である。
【００２４】
かかる構成によれば、閉塞部材を所定方向に回転させることにより第一の粒状物と第二の粒状物とを交互に払い出すことができる。そのため、本発明の農業用散布装置では、第一の粒状物や第二の粒状物を混合手段に順次供給することができ、第一の粒状物や第二の粒状物が混合手段の出口等に詰まるといったような不具合の発生を最小限に抑制できる。
【００２５】
請求項１０に記載の発明は、第一の粒状物と第二の粒状物との混合比に応じて第一の払出口及び／又は第二の払出口の開口面積を調整可能であることを特徴とする請求項１〜９のいずれかに記載の農業用散布装置である。
【００２６】
かかる構成によれば、第一の粒状物と第二の粒状物との混合比を容易かつ確実に調整することができる。
【００２７】
請求項１１に記載の発明は、第一の粒状物は、肥料であり、第二の粒状物は、農薬であることを特徴とする請求項１〜１０のいずれかに記載の農業用散布装置である。
【発明の効果】
【００２８】
本発明によれば、別々に用意した第一の粒状物と第二の粒状物とを混合した状態で散布可能な農業用散布装置を提供できる。
【発明を実施するための最良の形態】
【００２９】
続いて、本発明の一実施形態である農業用散布装置について図面を参照しながら詳細に説明する。図１において、１は本実施形態の農業用散布装置である。農業用散布装置１は、図２に示すように収容部２と混合比調整部３（供給状態調整手段）と混合部５（混合手段）と散布部６（散布手段）とに大別される。農業用散布装置１は、収容部２に収容されている肥料や農薬を所定比で混合部５に供給して混合し、これを散布部６に供給して散布可能な構成とされている。
【００３０】
さらに具体的に説明すると、収容部２は、肥料や農薬を収容し、混合部５に対して肥料や農薬を供給するためのホッパーとしての機能を有する。収容部２は、肥料や農薬の投入口となる上端側から底部側に向けて徐々に開口径が縮小する形状とされている。すなわち、収容部２は、図２に示すように肥料や農薬の投入口側（図２において上端側）から底側に向かって周面２ａが傾斜した構成とされている。
【００３１】
収容部２は、肥料収容部１０（第一の収容手段）と農薬収容部１１（第二の収容手段）とを有する。肥料収容部１０は肥料を収容するために設けられたものであり、農薬収容部１１は農薬を収容するために設けられたものである。肥料収容部１０には、例えば、粒状や粉状の肥料や土壌改良剤が収容される。肥料として、具体的には、例えば窒素、リン酸、カリウム、珪酸、マグネシウム、カルシウム、マンガン、ホウ素、鉄等の植物が要求する元素を含有する肥料を挙げることができる。肥料の原料としては、例えば、尿素、硝酸アンモニウム、硝酸苦土アンモニウム、塩化アンモニウム、硫酸アンモニウム、リン酸アンモニウム、硝酸アンモニウム、硝酸ソーダ、硝酸カルシウム、硝酸カリウム、石炭窒素、ホルムアルデヒド加工尿素肥料（ＵＦ）、アセトアルデヒド加工尿素肥料（ＣＤＵ）、イソプチルアルデヒド加工尿素肥料（ＩＢＤＵ）、グアニール尿素（ＧＵ）等の窒素質肥料、過リン酸石炭、重過リン敦石炭、苦土過リン酸、リン酸アンモニウム、苦土リン酸、硫リン安、リン硝安カリウム、塩リン安等のリン敦賀肥料、塩化カリウム、硫酸カリウム、硫酸カリソーダ、硫酸カリ苦土、重炭酸カリウム、リン酸カリウム、硝酸カリウム専のカリウム質肥料、珪酸カルシウム等の珪酸質肥料、硫酸マグネシウム、塩化マグネシウム等のマグネシウム質肥料、生石炭、消石炭、炭酸カルシウム等のカルシウム質肥料、硫酸マンガン、硫酸苦土マンガン、鉱さいマンガン等のマンガン質肥料、ホウ酸、ホウ酸塩等のホウ素質肥料、鉄鋼スラグ等の含鉄肥料、更には有機質肥料等の肥料取締法に定められる肥料（複合肥料を含む）を挙げることができる。また、粒状の肥料としては、各種の合成樹脂、パラフィン類、硫黄等の被覆資材で表面を被覆した被覆粒状肥料も用いることができる。
【００３２】
また、農薬収容部１１には、例えば、殺虫剤、殺菌剤、除草剤、植物生長調節剤等の農薬の粒剤や微粒剤が収容される。粒剤とは一般的に粒径が０．３〜２ｍｍ程度の粒径の固形製剤を意味し、微粒剤とは、５０〜２００μｍ程度の固形製剤を意味するが、一般的な粒状肥料の粒径と同等な粒径（２〜１０ｍｍ）の農薬の大粒粒剤も用いることができる。そのような大粒粒剤は、例えば農薬活性成分を含有する溶液又は分散液を粒状肥料に含浸させる方法、農薬活性成分を粘着物質や樹脂と共に粒状肥料に被覆する方法等（例えば、特開平７−１０９１９２号、特開平０８−２３１３０１号等を参照）により製造することが出来る。本実施形態の農業用散布装置１は、後述するように散布直前に肥料と農薬とを少量ずつ混合手段により混合することができる為、混合する肥料と農薬との粒径が異なっていても、肥料と農薬とを均一に混合して散布することが可能である。しかしながら散布手段の種類によっては、散布する肥料と農薬との粒径が異なった場合には、肥料と農薬との略均一な散布が困難な場合があるので、散布する肥料と農薬との粒径は、近似していることが好ましい。
【００３３】
肥料収容部１０と農薬収容部１１との境界部分には、仕切板１２が設けられている。そのため、収容部２は、肥料収容部１０に収容されている肥料と、農薬収容部１１に収容されている農薬とを別々に収容しておくことができる。また、肥料収容部１０は、農薬収容部１１よりも容積が大きい。
【００３４】
収容部２の下方には、混合比調整部３が設けられている。混合比調整部３は、固定側板状部材２０（閉塞部材）と回転側板状部材２１と、動力伝達機構３５とを有する。固定側板状部材２０は、図２に示すように収容部２の底面全体を閉塞するように取り付けられた板状の部材である。固定側板状部材２０は、図３（ａ）や図４に示すように円板状であり、収容部２の底板として機能する。
【００３５】
固定側板状部材２０は、図３（ａ）に示すように中心に軸挿通孔２２が設けられ、その外周側に固定側肥料開口２３（第一の払出口）と固定側農薬開口２５（第二の払出口）とが設けられた構成とされている。固定側肥料開口２３は、固定側農薬開口２５よりも固定側板状部材２０の中心側に存在している。さらに詳細に説明すると、固定側板状部材２０を収容部２の下端部（底）に取り付けた際に仕切板１２と当接する当接部２６（図３（ａ）においてハッチングを付した部分）を境界として固定側板状部材２０の中心側に固定側肥料開口２３が存在し、当接部２６よりも固定側板状部材２０の外周側に固定側農薬開口２５が存在する。固定側肥料開口２３および固定側農薬開口２５は、それぞれ当接部２６を介して固定側板状部材２０の半径方向に隣接した位置に設けられている。
【００３６】
固定側肥料開口２３および固定側農薬開口２５は、それぞれ開口形状が扇面形とされている。固定側肥料開口２３の開口面積は、固定側農薬開口２５の開口面積よりも大きい。さらに具体的には、固定側肥料開口２３の外縁を構成する円弧は、軸挿通孔２２を中心として半径ｒ１，ｒ２の円の一部であり、その開き角はθ１（θ１＜１８０度）とされている。また、固定側農薬開口２５の外縁を構成する円弧は、軸挿通孔２２を中心として半径ｒ３，ｒ４の円の一部であり、その開き角θ２は、固定側肥料開口２３の開き角θ１以下である（θ１＞θ２）。また、固定側農薬開口２５を構成する円弧の半径ｒ３，ｒ４の差（｜ｒ４−ｒ３｜）は、固定側肥料開口２３を構成する円弧の半径ｒ１，ｒ２の差（｜ｒ２−ｒ１｜）以下とされている。固定側肥料開口２３および固定側農薬開口２５の開口面積の大きさは、混合部５の混合能力等を考慮して適宜調整されている。また、固定側肥料開口２３および固定側農薬開口２５の開口面積の比率は、肥料と農薬との混合比に応じて適宜調整されている。
【００３７】
回転側板状部材２１は、図２や図４に示すように固定側板状部材２０の下方に配されている。回転側板状部材２１と固定側板状部材２０との間には殆ど隙間がない。また、回転側板状部材２１は、固定側板状部材２０に対して略平行に配置されている。
【００３８】
回転側板状部材２１は、図３（ｂ）や図４に示すように中心に軸挿通孔３０を有し、その外周側に回転側肥料開口３１（第一の連通口）と回転側農薬開口３２（第二の連通口）とを設けた構成とされている。回転側肥料開口３１は、上記した固定側肥料開口２３と略同一の形状であり、開口面積も略同一とされている。さらに具体的には、回転側肥料開口３１の外縁を構成する円弧は、軸挿通孔３０を中心として半径ｒ１，ｒ２の円弧であり、その開き角はθ１（θ１＜１８０度）とされている。回転側農薬開口３２の外縁を構成する円弧は、軸挿通孔３０を中心として半径ｒ３，ｒ４の円の一部であり、その開き角θ２は、回転側肥料開口３１の開き角θ１以下である（θ１＞θ２）。また、回転側農薬開口３２を構成する円弧の半径ｒ３，ｒ４の差（｜ｒ４−ｒ３｜）は、回転側肥料開口３１を構成する円弧の半径ｒ１，ｒ２の差（｜ｒ２−ｒ１｜）以下とされている。
【００３９】
回転側板状部材２１は、回転側肥料開口３１と回転側農薬開口３２との位置関係が、固定側板状部材２０の固定側肥料開口２３と固定側農薬開口２５との位置関係と相違する。すなわち、回転側板状部材２１の中心を通る仮想線Ｌを想定した場合に、仮想線Ｌを境界として一方側の領域に回転側肥料開口３１が形成され、他方側の領域に回転側農薬開口３２が形成されている。また、回転側肥料開口３１は、図５（ａ）に示すように固定側農薬開口２５と回転側農薬開口３２とが連通するように回転側板状部材２１と固定側板状部材２０とを重ね合わせた場合に、前記した仮想線Ｌに対して固定側肥料開口２３と線対称となる位置に設けられている。換言すれば、回転側肥料開口３１は、回転側農薬開口３２に対して回転側板状部材２１の周方向に約１８０度ずれた位置に設けられている。
【００４０】
動力伝達機構３５は、入力軸３６と動力変換手段３７と出力軸３８とを備えた構成とされている。入力軸３６は、耕耘機やトラクターに設けられたＰＴＯ（Ｐｏｗｅｒ  Ｔａｋｅ  Ｏｆｆ）軸やモータの回転軸等のような動力源に接続される軸である。入力軸３６は、動力変換手段３７に接続されている。動力変換手段３７には、図示しないギア等が内蔵されており、入力軸３６を介して入力された動力を減速して出力軸３８に出力するものである。出力軸３８は、図２や図４に示すように固定側板状部材２０および回転側板状部材２１に設けられた軸挿通孔２２，３０に挿通されており、回転側板状部材２１に固定されている。そのため、混合比調整部３は、出力軸３８を回転させることにより、回転側板状部材２１を固定側板状部材２０に対して略平行な姿勢のまま回転させ、固定側板状部材２０の固定側肥料開口２３や固定側農薬開口２５を開閉することができる。
【００４１】
さらに詳細に説明すると、混合比調整部３は、回転側板状部材２１を回転させることにより、図５（ａ）にハッチングで示すように固定側農薬開口２５と回転側農薬開口３２とを連通させることができる。すなわち、回転側板状部材２１を図５（ａ）に示すような位置に調整すると、固定側農薬開口２５が開き、農薬収容部１１内に収容されている農薬を払い出し可能となる。また、この状態では、固定側肥料開口２３が回転側板状部材２１によって閉塞された状態になっている。そのため、図５（ａ）に示す状態では、肥料収容部１０内の肥料を払い出すことができない。
【００４２】
また、図５（ａ）に示す状態から回転側板状部材２１をさらに反時計回り（図５（ａ）の矢印方向）に約１８０度回転させると、図５（ｂ）にハッチングで示すように固定側肥料開口２３と回転側肥料開口３１とを連通させることができる。すなわち、回転側板状部材２１を図５（ｂ）に示すような位置に調整すると、固定側肥料開口２３が開き、農薬収容部１１内の農薬を下方に払い出し可能な状態になる。また、図５（ｂ）に示す状態では、固定側農薬開口２５が回転側板状部材２１によって閉塞された状態となっており、農薬収容部１１内の農薬を払い出すことができない。
【００４３】
さらに、混合比調整部３は、回転側板状部材２１を所定方向に回転させると、図５（ａ）のように固定側農薬開口２５が開いた状態と、図５（ｂ）のように固定側肥料開口２３が開いた状態とが交互に入れ替わる。そのため、農業用散布装置１は、回転側板状部材２１を一定方向に回転させることにより、収容部２から農薬および肥料を混合部５側に交互に払い出すことができる。
【００４４】
混合部５は、図２に示すように混合比調整部３の下方側に設けられている。混合部５は、上端側および下端側が開口した混合室４０（収容部）を有し、この内部に攪拌装置４５が収容されている。混合室４０は、上端部に設けられた開口４１が混合比調整部３の固定側肥料開口２３および固定側農薬開口２５の直下となるような位置に設けられている。また、混合室４０の下端部（底面）には開口４３が設けられている。
【００４５】
攪拌装置４５は、一般的に鋤板混合機と称されるような攪拌機付混合装置によって構成されている。本実施形態において、攪拌装置４５は、鋤板４６（混合部材）を回転軸５０（拡散側回転部材、混合側回転部材）に多数取り付けた構成とされている。鋤板４６は、略鉛直に立設された回転軸５０に対して螺旋状に取り付けられている。すなわち、攪拌装置４５は、収容部２側から落下してくる肥料や農薬の落下方向に沿って延びる回転軸５０を有し、この回転軸５０に複数の鋤板４６を取り付けた構成とされている。鋤板４６は、回転軸５０の周方向および軸方向に所定の間隔毎に複数取り付けられている。そのため、攪拌装置４５を作動させると、収容部２から混合室４０に落下してくる肥料や農薬を横切るように鋤板４６が回転し、肥料に対して農薬が略均等に分散した状態になる。
【００４６】
回転軸５０は、後述する散布部６の下方に配された動力伝達機構４７の出力用の軸である。動力伝達機構４７は、上記した動力伝達機構３５と同様に、入力軸４８と動力変換手段４９と回転軸５０とを備えた構成とされている。入力軸４８は、耕耘機やトラクターに設けられたＰＴＯ（Ｐｏｗｅｒ  Ｔａｋｅ  Ｏｆｆ）軸や、モータのような動力源に接続される軸であり、動力変換手段４９に接続されている。動力変換手段４９は、上記した動力変換手段３７と同様に図示しないギア等を内蔵したものである。動力伝達機構４７は、入力軸４８を介して動力変換手段４９に入力された動力を減速して回転軸５０に出力する構成とされている。
【００４７】
図２に示すように、散布部６は、上記した混合室４０の直下に設けられた散布室５８内に動力伝達機構４７と回転板５１とを収容した構成とされており、散布室５８の周壁に設けられた散布開口５６から肥料と農薬の混合物を散布可能な構成とされている。散布開口５６の幅（開き角θ５）は、混合物の散布特性を向上させるべく大きくとることが望ましい。本実施形態において、散布開口５６の開き角θ５は、９０度から１８０度程度とされている。
【００４８】
散布部６は、上記した攪拌装置４５と動力伝達機構４７の回転軸５０を共用しており、この回転軸５０に回転板５１を取り付けた構成とされている。回転板５１は、回転軸５０に対して略垂直に取り付けられており、混合室４０の底面に設けられた開口４３の直下に存在している。
【００４９】
回転板５１は、図６（ａ）に示すように平面視が略円形の円板によって構成される円板部５２と、これに対して略垂直に立ち上がる散布羽根５３とを有する。散布羽根５３は、平面視した状態において円板部５２の略中心部から外側に向かって放射状に延びるように設けられている。回転板５１の略中心部には、軸挿通孔５５が設けられている。回転板５１は、散布羽根５３が混合部５側を向く姿勢とされ、軸挿通孔５５に挿通された回転軸５０に固定されている。
【００５０】
回転板５１は、中央を離れた位置に上記した混合室４０の開口４３から肥料と農薬の混合物が落ちるように位置合わせされ、設置されている。そのため、回転軸５０を作動させ回転板５１を回転させると、回転板５１上に落下してきた肥料と農薬の混合物が回転板５１の外側に向けて拡散され、略均一に散布される。回転板５１の回転に伴い散布された混合物は、散布室５８の側方に設けられた散布開口５６から農業用散布装置１の外部に拡散され、散布される。
【００５１】
上記したように、農業用散布装置１は、肥料収容部１０および農薬収容部１１に肥料と農薬とを入れるだけで、これらを混合部５において所定比に混合し、この混合物を散布部６に供給して散布することができる。そのため、農業用散布装置１によれば、肥料および農薬の散布を一度に実施でき、散布作業に要する手間や時間を最小限に抑制できる。
【００５２】
また、上記した農業用散布装置１では、肥料収容部１０および農薬収容部１１から肥料および農薬を混合部５の混合室４０に供給すると、これらが回転軸５０に取り付けられた鋤板４６によって攪拌可能な構成とされている。そのため、農業用散布装置１は、肥料に対して農薬が略均一に分散した状態として散布部６に供給し、これを散布することができる。
【００５３】
上記したように、本実施形態の農業用散布装置１では、混合部５と散布部６とで回転軸５０を共用する構成とされている。そのため、農業用散布装置１では、混合部５の混合部材と散布部６の回転部とを単一の動力源で作動させることができる。従って、農業用散布装置１は、装置構成がシンプルである。
【００５４】
上記実施形態において、回転軸５０は、単一の軸体によって構成されたものであったが、本発明はこれに限定されるものではなく、例えば回転軸５０のうち混合部５側の部位と散布部６側の部位とが別体であり、これらを連結して一体化したものであってもよい。
【００５５】
上記実施形態の農業用散布装置１は、回転軸５０を混合部５と散布部６とで共用しているため、混合部５に設けられた鋤板４６と、散布部６に設けられた回転板５０とが同一の回転数で回転することになる。ここで、散布部６に設けられた回転板５０は、肥料と農薬との混合物を飛散させるために高速での回転が要求される場合があるが、混合部５の鋤板４６はさほど高速で回転する必要がないものと想定される。すなわち、鋤板４６の回転速度の最適値と、回転板５０の回転速度の最適値とが異なる場合がある。そのため、このような場合は、混合部５と散布部６との間に変速機を設け、回転軸５０を散布部６用に使用すると共に、前記した変速機に回転軸５０の動力を入力可能な構成とし、変速機の出力軸を混合部５用の回転軸として使用する構成としてもよい。換言すれば、上記実施形態における回転軸５０に相当する軸を混合部５側と散布部６側とで別々に用意し、これらを変速機を介して接続した構成としてもよい。かかる構成とすれば、鋤板４６と回転板５０を単一の動力で作動させることができると共に、それぞれの回転速度を独立的に調整することができる。
【００５６】
ここで、上記した農業用散布装置１において、開口４３を混合部５の底部の略中央部に設けた場合、混合部５において肥料と農薬とを混合して形成される混合物が散布部６の回転板５１の略中央に落下し、散布開口５６が開いていない部分にまで混合物が飛散してしまい、混合物の散布ロスが発生する可能性がある。そこで、本実施形態では、混合部５の底部の中央を外れた位置に開口４３を設け、混合物を回転板５１の中央を離れた位置に落下させる構成としている。従って、本実施形態の農業用散布装置１では、回転板５１に落下してきた混合物を無駄なく広範囲にわたって略均等に散布することができる。
【００５７】
本実施形態では、散布開口５６の開き角θ５の大きさを考慮して混合物を回転板５１の中央を離れた位置に落下可能な位置に開口４３を設けた例を例示したが、本発明はこれに限定されるものではなく、混合部５の底部の略中央に開口４３を設け、回転板５１の中央部やこの近傍に混合物を落下可能な構成としてもよい。かかる構成とした場合、散布開口５６の開き角θ５等を大きく取れれば、散布部６における混合物の散布可能領域をより一層拡大することができる。
【００５８】
上記実施形態では、開口４３を混合部５から払い出される混合物を散布部６に設けられた回転板５１の中央を外れた位置に落下させることが可能な位置に設けた例を例示したが、本発明はこれに限定されるものではなく、開口４３を混合部５の略中央等、適宜の位置に設け、この下方にホッパー等の混合物案内手段６５を設けた構成としてもよい。かかる構成とした場合、混合物案内手段６５により散布部６の回転板５１の所定位置に供給可能な構成とすれば、本実施形態と同様に回転板５１に落下してきた混合物を無駄なく広範囲にわたって略均等に散布することができる。
【００５９】
上記したように、本実施形態の農業用散布装置１では、固定側板状部材２０と回転側板状部材２１とを組み合わせて構成される混合比調整部３が設けられており、肥料と農薬との混合比に応じて固定側肥料開口２３、固定側農薬開口２５、回転側肥料開口３１および回転側農薬開口３２の開口面積が調整されている。そのため、本実施形態の農業用散布装置１は、肥料収容部１０や農薬収容部１１に肥料や農薬を入れておくだけでこれらを所望の混合比で混合し、散布することができる。
【００６０】
また、上記した農業用散布装置１において、混合比調整部３は、回転側板状部材２１を回転させると、固定側肥料開口２３と回転側肥料開口３１とが連通する状態と、固定側農薬開口２５と回転側農薬開口３２とが連通する状態とが交互に到来する。そのため、農業用散布装置１では、回転側板状部材２１を一定方向に回転させると、回転側板状部材２１の回転周期毎に固定側肥料開口２３や固定側農薬開口２５が開き、第一の粒状物と第二の粒状物とが交互に混合手段に供給されることとなる。よって、農業用散布装置１では、混合部５に一度に大量の第一の粒状物や第二の粒状物が払い出されることがなく、これらが混合部５の払出口として機能する開口４３に詰まるといったような不具合が起こりにくい。
【００６１】
上記実施形態において、混合比調整部３は、固定側板状部材２０と回転側板状部材２１とを組み合わせて構成されるものであり、回転側板状部材２１を回転させるだけで肥料と農薬とを間歇的に混合部５に払い出すことができる。そのため、農業用散布装置１では、農薬や肥料が混合部５の出口に相当する開口４３に詰まったり、混合部５内でいわゆるブリッジングを起こすのを防止できる。
【００６２】
上記実施形態では、固定側肥料開口２３や固定側農薬開口２５、回転側肥料開口３１、回転側農薬開口３２の開口面積が一定であるため、混合部５に対する肥料および農薬の払い出し量や、これらの比率が一定であるが、本発明はこれに限定されるものではなく、前記開口２３，２５，３１，３２から選ばれる一又は複数、あるいは、全ての開口面積を適宜調整可能な構成としてもよい。さらに具体的には、例えば図９に示すように、固定側板状部材２０と回転側板状部材２１との間等の位置に、固定側板状部材２０に設けられた固定側肥料開口２３や固定側農薬開口２５と同一の位置関係にある開口８１，８２を持つ板状の開口面積調整手段８０を、回転側板状部材２１に対して独立的に作動可能なように設けた構成としてもよい。かかる構成とした場合、開口面積調整手段８０，８５を図９に矢印で示すように固定側板状部材２０に対して相対回転させることにより固定側肥料開口２３や固定側農薬開口２５の開口面積を調整することができる。なお、図９に示す例において開口面積調整手段８０は、円板状であったが、固定側肥料開口２３や固定側農薬開口２５の開口面積を調整可能なものであれば形状等については特に限定されるものではなく、例えば扇形のものや矩形状のものであってもよい。
【００６３】
また、固定側肥料開口２３の開口面積調整用の開口面積調整手段と固定側農薬開口２５の開口面積調整用の開口面積調整手段とを設け、それぞれが独立的に作動可能な構成としてもよい。かかる構成とした場合は、混合部５に対する肥料および農薬の払い出し量だけでなく、これらの払い出し量の比率（混合比）まで調整することができる。
【００６４】
さらに、上記した固定側板状部材２０に設けられた固定側肥料開口２３や固定側農薬開口２５と同様の位置に、前記開口２３，２５と開口面積の異なる開口を設けた開口面積調整用の板体を用意し、これを肥料や農薬の払い出し量や混合比に応じて適宜入れ替え可能な構成としてもよい。かかる構成とした場合についても、開口面積調整用の板体に開口２３，２５に対応して設けられる開口の開口面積を適宜調整することにより、混合部５に対する肥料や農薬の払い出し量や、肥料と農薬の混合比を調整することができる。
【００６５】
上記実施形態では、固定側板状部材２０と回転側板状部材２１とで肥料の出口を形成する固定側肥料開口２３および回転側肥料開口３１の位置関係が線対称の位置関係にある構成を例示したが、本発明はこれに限定されるものではなく、これらの開口２３，３１は固定側板状部材２０や回転側板状部材２１の周方向にいくらかずれた構成であってもよい。
【００６６】
また、混合比調整部３は、固定側板状部材２０および回転側板状部材２１における固定側肥料開口２３および回転側肥料開口３１の位置関係は同一であってもよい。すなわち、混合比調整部３は、固定側板状部材２０および回転側板状部材２１を重ねた際に、固定側肥料開口２３と回転側肥料開口３１とが連通すると共に、固定側農薬開口２５と回転側農薬開口３２とが連通する構成であってもよい。
【００６７】
上記実施形態では、混合比調整部３として固定側板状部材２０と回転側板状部材２１とを組み合わせた構成のものを例示したが、本発明はこれに限定されるものではなく、例えば肥料収容部１０および農薬収容部１１のそれぞれの底部にシャッター等を設け、これを作動させることにより所定量の肥料や農薬を混合部５の混合室４０に投入する構成としてもよい。かかる構成とした場合についても、肥料収容部１０側のシャッターと農薬収容部１１側のシャッターとが交互に開く構成とすれば、肥料と農薬の混合状態を最適化することができる。
【００６８】
上記実施形態において、散布部６に設けられた回転板５１は、中央部から外周側に向けて回転板５１の径方向にまっすぐ放射状に延びる散布羽根５３を設けた例を例示したが、本発明はこれに限定されるものではなく、例えば図６（ｂ）に示すように湾曲した散布羽根５７を設けた構成としてもよい。
【００６９】
上記実施形態では、混合部５に設ける攪拌装置４５として、回転軸５０に鋤板４６を多数取り付けた鋤板混合機と称されるような攪拌機付混合装置を採用した例を例示したが、本発明はこれに限定されるものではなく、攪拌装置４５は、例えば図７（ａ）に示すように回転軸５０に対してスクリュー６０（混合部材）を取り付けた、いわゆるスクリュー混合機と称されるようなものや、図７（ｂ）に示すような攪拌片６１（混合部材）を取り付けた、いわゆるリボン混合機と称されるようなもの等、適宜の構成のものを採用することができる。
【００７０】
ここで、上記した農業用散布装置１において、混合部５は、回転軸５０が立設され、これに鋤板４６が取り付けられた構成であったが、本発明はこれに限定されるものではなく、例えば図８に示す農業用散布装置７０のように、回転板５１が取り付けられる回転軸５０とは別に混合部５の鋤板４６が取り付けられる回転軸７１（混合側回転軸）を持ち、この回転軸７１に鋤板４６やスクリュー６０、攪拌片６１等を装着した構成としてもよい。
【００７１】
さらに具体的に説明すると、図８に示す農業用散布装置７０は、大部分が上記した農業用散布装置１と同一であるが、混合部７５（混合手段）の構成が上記した混合部５と異なる。農業用散布装置７０において採用されている混合部７５は、混合比調整部３の下方に形成された混合室７６（収容部）内を横断するように回転軸７１が設けられており、これに鋤板４６が多数、螺旋状に取り付けられた構成とされている。回転軸７１は、耕耘機やトラクターに設けられたＰＴＯ（Ｐｏｗｅｒ  Ｔａｋｅ  Ｏｆｆ）軸やモータの回転軸等のような動力源に接続される。
【００７２】
混合室７６は、肥料収容部１０および農薬収容部１１の底部に設けられた固定側肥料開口２３および固定側農薬開口２５の鉛直下方となる位置に肥料や農薬の入口となる開口７７が設けられている。開口７７は、混合室７６内に配置されている回転軸７１の一端側に存在する。また、混合室７６の底面であって、前記した開口７７とは反対側（回転軸７１の他端側）に相当する位置には、肥料と農薬とを混合した混合物の排出口となる開口７８が設けられている。開口７８の下方には、上記した農業用散布装置１において設けられていたのと同様の構成の散布部６が設けられている。開口７８は、上記した農薬散布装置１の混合部５に設けられた開口４３と同様に、混合室７６内で混合された混合物を散布部６の回転板５１の略中央を離れた位置に落下させることが可能な位置に開口している。
【００７３】
図８に示すように、混合室７６の底面は、開口７７側から開口７８側にむかって徐々に下方に傾斜した構成とされている。すなわち、混合室７６の底面には、開口７８側に向かう下り勾配が付けられている。そのため、開口７７から混合室７６内に肥料や農薬を投入すると、これらが徐々に開口７８側に誘導されていく。
【００７４】
図８に示す農業用散布装置７０では、肥料収容部１０や農薬収容部１１から肥料や農薬が払い出されると、開口７７から混合室７６内に肥料や農薬が払い出される。この状態で回転軸７１を回転させると、肥料および農薬は、混合室７６内において回転する鋤板４６によって混合されながら下流側、すなわち開口７８側に向かい、徐々に混合されていく。混合室７６において肥料と農薬とを混合して形成される混合物は、開口７８からこの下方に配されている散布部６の回転板５１の中央部あるいはこの近傍に落下する。回転板５１上に落下した混合物は、回転板５１の回転により発生する遠心力の影響を受けて飛散し、散布開口５６から農業用散布装置７０の外側に散布される。
【００７５】
上記した農業用散布装置７０のように、混合部７５の回転軸７１が回転板５１の回転軸５０に対して交差する（本実施形態では略直交）構成とすれば、肥料収容部１０や農薬収容部１１と散布部６との間隔、すなわち混合部７５の高さを抑制することができる。また、上記したような構成とすれば、肥料や農薬の入口となる開口７７から出口となる開口７８までの距離を十分確保でき、肥料と農薬とを十分混合することができる。従って、農業用散布装置７０のような構成を採用すれば、装置構成をコンパクトにしつつ、肥料と農薬とを十分混合して散布することができる。
【００７６】
上記した農業用散布装置７０では、混合室７６の底面に下り勾配を付けた構成を例示したが、本発明はこれに限定されるものではなく、底面が略水平な構成であってもよい。また、図８や上記した説明では、回転軸７１に鋤板４６を取り付けた構成を例示したが、農業用散布装置１と同様に鋤板４６に代わってスクリュー６０や攪拌片６１を取り付けた構成としてもよい。
【００７７】
上記した農業用散布装置１，７０において、混合部５，７５は、鋤板４６やスクリュー６０、攪拌片６１が作動して肥料と農薬を混合するものであったが、本発明はこれに限定されるものではなく、例えば鋤板４６やスクリュー６０、攪拌片６１が作動する構成とする代わりに金網やパンチングメタル、エキスパンドメタル等の網状の部材や邪魔板などを配置した構成としてもよい。すなわち、農業用散布装置１，７０は、上記した混合部５，７５のように何らかの動力を利用して積極的に肥料や農薬を混合する構成に限定されるものではなく、肥料や農薬が通過する散布部６に至る経路の中途に網状の部材や邪魔板等の邪魔部材を設けた構成としてもよい。また、混合部５，７５は、鋤板４６やスクリュー６０、攪拌片６１を設けると共に、金網やパンチングメタル、エキスパンドメタル等の網状の部材や邪魔板などを配置した構成としてもよい。かかる構成によれば、邪魔部材が配置された経路を肥料や農薬が通過することにより肥料と農薬との攪拌を促進させ、肥料と農薬とを混合した状態で散布することができる。
【００７８】
また、農業用散布装置１，７５は、肥料や農薬が通過する散布部６に至る経路の中途に、混合部５，７５のように動力を利用して積極的に肥料や農薬を混合する構成に加えて、網状の部材や邪魔板等の邪魔部材を設けた構成としてもよい。かかる構成によれば、肥料と農薬との攪拌をより一層促進させることができ、肥料と農薬とがよく混ざった状態で散布することができる。
【００７９】
上記実施形態に示した農業用散布装置１，７０は、耕耘機やトラクターに取り付け、これらから動力を得て動作可能なものであったが、本発明はこれに限定されるものではなく、例えば動力源として別途モータやエンジンを備えた構成とすることも可能である。かかる構成とした場合、農業用散布装置１，７０を単独で使用可能な構成としたり、農業用散布装置１，７０を携帯して使用可能な構成とすることができる。
【００８０】
上記実施形態では、単一の収容部２を仕切板１２で仕切ることにより肥料収容部１０と農薬収容部１１とを形成した構成を例示したが、本発明はこれに限定されるものではなく、肥料収容部１０と農薬収容部１１とを別々に設けた構成としてもよい。
【００８１】
また、農業用散布装置１，７０は、上記実施形態において採用されていた混合比調整部３に代わって、図１０（ａ）に示すような構成の混合比調整部９０を設けた構成としてもよい。さらに具体的には、混合比調整部９０は、図１０（ａ）に示すように肥料収容部１０や農薬収容部１１の下方を横断するように設けられた回転軸９１に対して２つの繰り出しロール９２，９３を装着した構成とされている。回転軸９１は、図示しない動力源に接続されており、農業用散布装置１，７０の本体に回転自在なようにに支持されている。
【００８２】
繰り出しロール９２，９３は、図１０（ｂ）に示すように略円筒形のロール本体９２ａ，９３ａの外周部に周方向に略等間隔に複数のポケット９２ｂ，９３ｂ（凹部）を設けた構成とされている。繰り出しロール９２，９３は、それぞれ肥料収容部１０および農薬収容部１１の底部に設けられた開口から肥料や農薬をポケット９２ｂ，９３ｂに払い出し可能なように配置されている。ポケット９２ｂ，９３ｂの大きさは、肥料や農薬の混合比に応じて調整されている。
【００８３】
混合比調整部９０は、回転軸９１を回転させて繰り出しロール９２，９３が回転させることにより、各ポケット９２ｂ，９３ｂに溜まっている肥料や農薬を所定比で混合部５側に払い出すことができる。また、混合比調整部９０は、繰り出しロール９２，９３の回転時間（回転量）を調整することにより混合部５に対する肥料や農薬の払い出し量を調整することができる。そのため、農業用散布装置１，７０は、上記した混合比調整部３に代わって混合比調整手段９０のような構成のものを採用しても、肥料や農薬を所定比で混合部５に供給することができる。
【００８４】
上記した混合比調整部９０は、回転軸９１の回転に伴って繰り出しロール９２，９３が一緒に回転する構成であったが、本発明はこれに限定されるものではなく、例えば繰り出しロール９２，９３の間にクラッチ機構のような動力を伝達あるいは遮断可能な機構を設けるなどして繰り出しロール９２，９３を独立的に作動可能な構成としてもよい。かかる構成とした場合、繰り出しロール９２，９３を交互に作動させることができ、上記した混合比調整部３を設けた場合と同様に肥料と農薬を交互に払い出すことが可能となる。
【００８５】
また、図１１に示す農業用散布装置１００のように、上記実施形態において採用されていた混合比調整部３に代わって、独立的に作動可能な繰り出しロール１１３，１１４，１１５を備えた混合比調整部１１０を設けた構成としてもよい。以下、農薬散布装置１００の構成について図面を参照しながら詳細に説明する。なお、農薬散布装置１００は、混合比調整部１１０の構成に特徴を有し、他の部位は上記した農薬散布装置１，７０とほぼ同様の構成を有するため、共通する部分には同一の符号を付し、詳細の説明については省略する。また、農業用散布装置１００は、上記した農業用散布装置１，７０に採用されていた混合部５，７５のいずれかや散布部６と同様の構成を採用できるため、図１１では混合部５，７５や散布部６については図示せず省略する。
【００８６】
混合比調整部１１０は、図１１に示すように農薬散布装置１００の幅方向に挿通されたロール軸１１１を有する。ロール軸１１１は、農薬散布装置１００の本体ケース１０１に対して軸方向にスライド可能な状態で取り付けられている。ロール軸１１１は、図示しないモータ等の動力源に接続されており、この動力を受けて回転できる。ロール軸１１１にはフォークガイド１１２が取り付けられている。ロール軸１１１は、フォークガイド１１２を介して軸方向に移動させることができる。
【００８７】
ロール軸１１１には、３つの繰り出しロール１１３，１１４，１１５が回転可能なように装着されている。繰り出しロール１１３，１１４は、肥料収容部１０の直下に位置しており、それぞれロール軸１１１を中心として回動することにより、肥料収容部１０内に収容されている肥料を混合部５側に払い出すことができる。また、繰り出しロール１１５は、農薬収容部１１の直下に位置しており、ロール軸１１１を中心として回動させると、農薬収容部１１内の農薬を混合部５に払い出すことができる。繰り出しロール１１４は、繰出ロール１１３よりも軸方向に短く、一回転当たりの肥料の払い出し量が繰り出しロール１１３よりも少ない。そのため、混合比調整部１１１は、繰り出しロール１１３，１１４のいずれを回転させるかによって混合部５への肥料の払い出し量を調整し、肥料と農薬との混合比を調整することができる。
【００８８】
繰り出しロール１１３，１１４の間には、クラッチ爪１１６，１１６が互いに対向するように配置されている。また、繰り出しロール１１３，１１４の間には、クラッチＡ１１７が設けられている。クラッチＡ１１７は、ロール軸１１１の外周に固定されている。また、繰り出しロール１１５の側面には、クラッチ爪１１８が取り付けられている。
【００８９】
ロール軸１１１の端部には、クラッチＢ１１９が、クラッチロール軸１１１と共に回転し、軸方向にスライド可能な状態で取り付けられている。クラッチ１１９には、上記したクラッチ爪１１８に対向するようにクラッチ爪１２０が設けられている。また、クラッチ１１９の外周にはフォークガイド１２１が設けられており、これを用いてロール軸１１１の軸方向にスライドさせることができる。繰り出しロール１１３，１１４間および繰り出しロール１１４，１１５間は、仕切板１２２，１２３によって仕切られている。
【００９０】
混合比調整部１１０は、図１１に示す状態においてクラッチＡ，Ｂ１１７，１２０の双方が切れた状態にある。そのため、図示しない動力源からロール軸１１１に動力が伝達してきても、繰り出しロール１１３，１１４，１１５には動力が伝達しない。クラッチＢ１１９は、フォークガイド１２１を用いてクラッチＢ１１９を軸方向にスライドさせ、クラッチ爪１２０を繰出ロール１１５の側面に設けられたクラッチ爪１１８に噛み合わせることによりロール軸１１１から繰り出しロール１１５にトルクを伝達させ、繰り出しロール１１５を回転させることができる。農薬収容部１１に主要されている農薬は、繰り出しロール１１５の回転に伴って、混合比調整部１１０の下方に設けられた混合部５に払い出される。
【００９１】
また、混合比調整部１１０は、フォークガイド１２１を用いてロール軸１１１を軸方向に移動させ、ロール軸１１１を図１１の左方向に移動させると、ロール軸１１１の中途であって繰り出しロール１１３，１１４間に取り付けられているクラッチＡ１１７が繰り出しロール１１３のクラッチ爪１１６に噛み合って繰り出しロール１１３にロール軸１１１からトルクが伝達し、繰り出しロール１１３が回転する。繰り出しロール１１３が回転すると、肥料収容部１０に収容されている肥料が混合部５に払い出される。これとは逆に、フォークガイド１１２を用いてロール軸１１１を図１１の右方向にスライドさせると、クラッチＡ１１７が繰出ロール１１４のクラッチ爪１１６に噛み合って繰出ロール１１４がローラ軸１１１と共に回転し、肥料収容部１０内の肥料が混合部５側に払い出される。
【００９２】
上記した農業用散布装置１００についても、ロール軸１１１を軸方向にスライドさせることにより所定の繰り出しロール１１３，１１４，１１５を回転させ、繰り出しロール１１３，１１４，１１５の回転時間を調整したり、ロール軸１１１の回転量を調整するなどして肥料や農薬の払い出し量を調整することができる。また、ロール軸１１１を適宜スライドさせることにより、肥料と農薬とを交互に払い出す構成とすることができる。
【００９３】
上記した混合比調整部１１０では、肥料の払い出しように２つの繰り出しロール１１３，１１４を設けた例を例示したが、本発明はこれに限定されるものではなく、肥料払い出し用の繰り出しロールが単一の構成であっても、さらに多数設けた構成としてもよい。また、上記した混合比調整部１１０では、繰り出しロール１１５が単一の構成であったが、本発明はこれに限定されるものではなく、肥料払い出し用に２つの繰り出しロール１１３，１１４を設けたのと同様に複数の繰り出しロールを設け、これらの全て又は一部を回転させて農薬を払い出し可能な構成としてもよい。
【図面の簡単な説明】
【００９４】
【図１】本発明の一実施形態にかかる農業用散布装置を示す斜視図である。
【図２】図１の農業用散布装置の内部構造を示す断面図である。
【図３】（ａ）は固定側板状部材を示す正面図であり、（ｂ）は、回転側板状部材を示す正面図である。
【図４】混合比調整部の構造を示す分解斜視図である。
【図５】（ａ）は混合比調整部の第一の状態を示す正面図であり、（ｂ）は混合比調整部の第二の状態を示す正面図である。
【図６】（ａ）は回転板を示す斜視図であり、（ｂ）は（ａ）の変形例を示す斜視図である。
【図７】（ａ），（ｂ）はそれぞれ攪拌装置の変形例を示す斜視図である。
【図８】本発明の別の実施形態にかかる農業用散布装置を示す断面図である。
【図９】混合比調整部の変形例を示す分解斜視図である。
【図１０】（ａ）は図１および図８に示す農業用散布装置の変形例を示す要部断面図であり、（ｂ）は（ａ）に示す農業用散布装置において採用されている混合比調整部の構造を示す斜視図である。
【図１１】本発明のさらに別の実施形態にかかる農業用散布装置を示す要部断面図である。
【符号の説明】
【００９５】
１    農業用散布装置
２    収容部
３    混合比調整部（供給状態調整手段）
５，７５    混合部（混合手段）
６，７６    散布部（散布手段）
１０    肥料収容部（第一の収容手段）
１１    農薬収容部（第二の収容手段）
２１    回転側板状部材（閉塞部材）
２３    固定側肥料開口（第一の払出口）
２５    固定側農薬開口（第二の払出口）
３１    回転側肥料開口（第一の連通口）
３２    回転側農薬開口（第二の連通口）
４０    混合室（収容部）
４６    鋤板（混合部材）
５０    回転軸（散布側回転軸、混合側回転軸）
６０    スクリュー（混合部材）
６１    攪拌片（混合部材）
７０    農業用散布装置
７１    回転軸（混合側回転軸）
８０    開口面積調整手段
【図１】
0005264052.tif 000002
【図２】
0005264052.tif 000003
【図３】
0005264052.tif 000004
【図４】
0005264052.tif 000005
【図５】
0005264052.tif 000006
【図６】
0005264052.tif 000007
【図７】
0005264052.tif 000008
【図８】
0005264052.tif 000009
【図９】
0005264052.tif 000010
【図１０】
0005264052.tif 000011
【図１１】
0005264052.tif 000012